(57)【特許請求の範囲】
【請求項１】
第１の面及び第２の面を有する被固定部に対して固定可能な固定具であって、
前記第１の面に接触させるための第１面接触具と、
前記第２の面に接触させるための第２面接触具と、
前記第１面接触具と前記第２面接触具とが離れるような力を発生させる離隔力発生ユニットと、
別の部品が係合する部品係合構造と、を備え、
前記離隔力発生ユニットが前記部品係合構造を兼ねていることを特徴とする固定具。
【請求項２】
前記第１面接触具と前記第２面接触具との間隔が第１の間隔である第１状態と、前記第１面接触具と前記第２面接触具との間隔が前記第１状態よりも狭い第２の間隔である第２状態と、の間で切替自在にする切替ユニットをさらに備え、
前記切替ユニットは、
前記離隔力発生ユニットと前記第１〜２面接触具との間で移動可能な移動部材を備え、
前記移動部材の移動によって前記第１〜２状態の切り替えが行われることを特徴とする請求項１記載の固定具。
【請求項３】
前記切替ユニットは、
前記第１〜２状態の切り替えが可能な切替可能状態と、前記第１〜２状態の切り替えが規制された切替規制状態との間で遷移が可能な切替規制部材を有することを特徴とする請求項２記載の固定具。
【請求項４】
前記移動部材が前記切替規制部材を兼ねていることを特徴とする請求項３記載の固定具。
【請求項５】
前記切替ユニットは、
前記離隔力発生ユニット及び前記第１面接触具と連なる第１棒と、
前記離隔力発生ユニット及び前記第２面接触具と連なる第２棒と、を備え、
前記移動部材は前記第１棒及び前記第２棒に沿って移動可能であることを特徴とする請求項２ないし４のうちいずれか１項記載の固定具。
【請求項６】
前記移動部材は前記第１棒及び前記第２棒が挿入可能な孔を有することを特徴とする請求項５記載の固定具。
【請求項７】
前記切替ユニットは、前記移動部材に連なる握りを備えたことを特徴とする請求項２ないし６のうちいずれか１項記載の固定具。
【請求項８】
前記握りは、前記移動部材に対して揺動自在であることを特徴とする請求項７記載の固定具。
【請求項９】
前記握りは、前記第１面接触具と前記第２面接触具とが離れる向きの付勢力を発生させるバネ機構に対して係合した係合状態と、前記係合状態から退避した退避状態との間で遷移自在であり、
前記係合状態では、前記移動部材の移動が規制されることを特徴とする請求項８記載の固定具。
【発明の詳細な説明】
【技術分野】
【０００１】
本発明は、固定具に関する。
【背景技術】
【０００２】
従来、岩場や木などに物を固定する固定具として、ハーケンやピトンなどが知られている（例えば、特許文献１）。このハーケン等によれば、岩場等の割れ目に向けて、ハンマーを用いてハーケン等を打ち付ける。これによって、ハーケンを岩場に固定することができる。
【先行技術文献】
【特許文献】
【０００３】
【特許文献１】実用新案登録第３１０４２５１号公報
【発明の概要】
【発明が解決しようとする課題】
【０００４】
しかしながら、割れ目の幅がハーケンに比べて大きい場合には、打ち付けによってハーケンを固定することができない。したがって、従来のハーケンでは、固定するための場所選びに苦労する。また、ハーケンの打ち付けに適した割れ目を発見したとしても、ハンマーの打ち付け作業が必要になる。さらに、この打ち付け作業のために、ハンマーを常に持ち歩かなければならない。
【０００５】
本発明は、斯かる実情に鑑み、従来のハーケン等に比べ固定場所の選択肢が広い固定具を提供しようとするものである。
【課題を解決するための手段】
【０００６】
本発明は、第１の面及び第２の面を有する被固定部に対して固定可能な固定具であって、前記第１の面に接触させるための第１面接触具と、前記第２の面に接触させるための第２面接触具と、前記第１面接触具と前記第２面接触具とが離れるような力を発生させる離隔力発生ユニットと、別の部品が係合する部品係合構造と、を備え、前記離隔力発生ユニットが前記部品係合構造を兼ねていることを特徴とする。
【０００７】
前記第１面接触具と前記第２面接触具との間隔が第１の間隔である第１状態と、前記第１面接触具と前記第２面接触具との間隔が前記第１状態よりも狭い第２の間隔である第２状態と、の間で切替自在にする切替ユニットをさらに備え、前記切替ユニットは、前記離隔力発生ユニットと前記第１〜２面接触具との間で移動可能な移動部材を備え、前記移動部材の移動によって前記第１〜２状態の切り替えが行われることが好ましい。また、前記切替ユニットは、前記第１〜２状態の切り替えが可能な切替可能状態と、前記第１〜２状態の切り替えが規制された切替規制状態との間で遷移が可能な切替規制部材を有することが好ましい。さらに、前記移動部材が前記切替規制部材を兼ねていることが好ましい。
【０００８】
前記切替ユニットは、前記離隔力発生ユニット及び前記第１面接触具と連なる第１棒と、前記離隔力発生ユニット及び前記第２面接触具と連なる第２棒と、を備え、前記移動部材は前記第１棒及び前記第２棒に沿って移動可能であることが好ましい。前記移動部材は前記第１棒及び前記第２棒が挿入可能な孔を有することが好ましい。
【０００９】
前記切替ユニットは、前記移動部材に連なる握りを備えたことが好ましい。前記握りは、前記移動部材に対して揺動自在であることが好ましい。前記握りは、前記第１面接触具と前記第２面接触具とが離れる向きの付勢力を発生させるバネ機構に対して係合した係合状態と、前記係合状態から退避した退避状態との間で遷移自在であり、前記係合状態では、前記移動部材の移動が規制されることが好ましい。
【発明の効果】
【００１０】
本発明によれば、従来のハーケン等に比べ固定場所の選択肢が広い固定具を提供することができる。
【図面の簡単な説明】
【００１１】
【図１】ストリンガーセットの概要を示す説明図である。
【図２】（Ａ）は、閉状態のハーケンの概要を示す側面図、（Ｂ）は、閉状態のハーケンの概要を示す正面図である。（Ｃ）は、開状態のハーケンの概要を示す正面図である。
【図３】（Ａ）〜（Ｃ）は、移動リングの概要を示す平面図である。
【図４】岩場の穴（くぼみ）に固定された状態のハーケンの概要を示す説明図である。
【図５】（Ａ）〜（Ｂ）は、巻取具の概要を示す平面図である。
【図６】（Ａ）は巻取具の平面図、（Ｂ）は巻取具の左側面図、（Ｃ）は巻取具の正面図、（Ｄ）は巻取具の右側面図、（Ｅ）は巻取具の背面図、（Ｆ）は巻取具の底面図である。
【図７】第２のハーケンの概要を示す正面図である。
【図８】第２のハーケンの概要を示す分解図である。
【図９】第３のハーケンの概要を示す正面図である。
【発明を実施するための形態】
【００１２】
図１に示すように、ストリンガーセット２は、磯釣りにおいて釣った魚Ｆを保持するためのものであり、釣った魚Ｆ（例えば、下あご）を係止するストリンガー１０と、岩場等に固定可能なハーケン２０と、ストリンガー１０とハーケン２０をつなぐロープ３０と、を備える。さらに、ストリンガーセット２は、ロープ３０を巻き取り可能な巻取具４０を備えていてもよい。
【００１３】
図２に示すように、ハーケン２０は、ねじりコイルバネ２１と、第１〜２棒２２Ａ〜２２Ｂと、第１棒２２Ａの先端から延びた第１面接触部２３Ａと、第２棒２２Ｂの先端から延びた第２面接触部２３Ｂと、移動リング２５と、移動リング２５から延びた握り２８と、を備える。
【００１４】
ねじりコイルバネ２１は、コイルばね部２１Ｓと、第１〜２アーム２１Ａ〜２１Ｂとを備える。第１〜２アーム２１Ａ〜２１Ｂは、閉状態（図２（Ｂ））と、開状態（図２（Ｃ））との間で遷移自在となっている。閉状態（図２（Ｂ））では、開状態（図２（Ｃ））に比べ、２１Ａ〜２１Ｂの間隔は狭い。さらに、第１〜２アーム２１Ａ〜２１Ｂは、コイルばね部２１Ｓにより、開状態（図２（Ｃ））に付勢されている。
【００１５】
図３（Ａ）に示すように、移動リング２５は、リング状に形成され、第１棒２２Ａ及び第２棒２２Ｂが挿入される孔２５Ｘを有する。このため、移動リング２５は、第１棒２２Ａ及び第２棒２２Ｂに沿って移動自在となっている。
【００１６】
第１棒２２Ａの基端には、ねじりコイルバネ２１のアームに接続するアーム接続部２２ＡＸが設けられる。また、第１棒２２Ａの先端には、第１面接触部２３Ａと接続する第１接続部２２ＡＹが設けられる。アーム接続部２２ＡＸ及び第１接続部２２ＡＹは、それぞれ、移動リング２５が係合可能となるように湾曲していることが好ましい。同様に、第２棒２２Ｂの基端には、ねじりコイルバネ２１のアームに接続するアーム接続部２２ＢＸが設けられる。また、第２棒２２Ｂの先端には、第２面接触部２３Ｂと接続する第２接続部２２ＢＹが設けられる。アーム接続部２２ＢＸ及び第２接続部２２ＢＹは、それぞれ、移動リング２５が係合可能となるように湾曲していることが好ましい。
【００１７】
アーム接続部２２ＡＸ、２２ＢＸの双方に移動リング２５が係合する場合には、ねじりコイルバネ２１の付勢力によって、開状態（図２（Ｃ））となる。一方、第１接続部２２ＡＹ、第２接続部２２ＢＹの双方に移動リング２５が係合する場合には、移動リング２５がねじりコイルバネ２１の付勢力に抗する結果、閉状態となる。さらに、ねじりコイルバネ２１の付勢力により、第１接続部２２ＡＹ、第２接続部２２ＢＹの双方が移動リング２５に対して強く押しつけられるため、移動リング２５の移動が規制される。
【００１８】
第１面接触部２３Ａは、穴、孔、溝などを形成する第１面Ａ（図４）に接触するものであり、直線状に形成される。同様に、第２面接触部２３Ｂは、穴、孔、溝などを形成する第２面Ｂ（図４）に接触するものであり、直線状に形成される。第２面Ｂは、第１面Ａに対向することが好ましい。
【００１９】
図２（Ａ）に戻って、握り２８は、移動リング２５に回動自在に取り付けられた回動部材２８Ｒと、回動部材２８Ｒから延びる棒状のグリップ部２８Ｇと、を備える。さらに、握り２８は、グリップ部２８Ｇの先端に設けられた係合部２８Ｋと、を備えることが好ましい。回動部材２８Ｒによって、グリップ部２８Ｇは、移動リング２５を中心に揺動自在となる。また、係合部２８Ｋは、グリップ部２８Ｇに対して湾曲するように伸びる。係合部２８Ｋは、ねじりコイルバネ２１のコイルばね部２１Ｓと係合可能な形状となっている。
【００２０】
ねじりコイルバネ２１、第１〜２棒２２Ａ〜２２Ｂ、第１〜２面接触部２３Ａ〜２３Ｂは、一体に形成されること（例えば、１本の線材から形成されること）が好ましい。また、移動リング２５や握り２８も、それぞれ一体に形成されることが好ましい。
【００２１】
ねじりコイルバネ２１、第１〜２棒２２Ａ〜２２Ｂ、第１〜２面接触部２３Ａ〜２３Ｂの形成材料は、弾性を有するものが好ましい。また、ハーケン２０の形成材料としては、さびにくい材料であることが好ましい。かかる材料としては、例えば、ステンレス等がある。
【００２２】
図５〜６に示すように、巻取具４０は、ベース板４１と、アーム４２と、ベース板４１にアーム４２を回動自在に取り付けられる回動部材４３と、を備える。ベース板４１は、矩形状に形成され、２対の向き合う辺には、それぞれ、ロープ３０を巻き付けるための係合部４１Ａ〜４１Ｂ、４２Ａ〜４２Ｂが形成される。回動部材４３により、アーム４２は、閉状態（図５（Ａ））と、開状態（図５（Ｂ））との間で切替自在である。開状態（図５（Ｂ））では、係合部４２Ｂに巻き取られたロープ３０とアーム４２とが離れているため、係合部４２Ａ〜４２Ｂへのロープ３０の巻き取りや、係合部４２Ａ〜４２Ｂに巻き取られたロープ３０の送り出しが可能である。一方、閉状態（図５（Ａ））では、係合部４２Ｂに巻き取られたロープ３０がアーム４２と係合部４２Ｂとによって挟まれるため、係合部４２Ａ〜４２Ｂにおけるロープ４０の送り出しが規制される。また、アーム４２は、先端にナイフ部４２Ｎを有することが好ましい。ナイフ部４２は、ストリンガー１０を通すための孔を、魚の下あご等に形成するためのものである。ナイフ部４２Ｎは、閉状態（図５（Ａ））となったアーム４２のうち、ベース板４１と重なる位置に設けられることが好ましい。さらに、ナイフ部４２Ｎは、閉状態（図５（Ａ））となったアーム４２のうち、係合部４２Ｂから退避していることが好ましい。
【００２３】
次に、ハーケン２０の使用方法について説明する。
【００２４】
岩場において、適当な穴、孔、溝などに対し、閉状態のハーケン２０（図２（Ａ）〜図２（Ｂ））を挿入する。その後、移動リング２５がコイルばね部２１Ｓに近づくように、握り２８を引っ張る。ねじりコイルバネ２１の付勢力により、ハーケン２０は、開状態（図３）となる。この結果、第１〜２面接触部２３Ａ〜２３Ｂは、穴などを形成する第１〜２面Ａ〜Ｂに対して押当てられる。こうして、ハーケン２０を岩場に固定することができる。
【００２５】
ハーケン２０によれば、コイルばね部２１Ｓにより、開状態（図２（Ｃ））へ付勢されているため、固定可能な穴等のサイズは、従来のハーケンに比べ広いものとなる。また、この開閉操作が、移動リング２５の移動によって可能となるため、ハンマーによる打ち付け作業も不要となるばかりか、ハンマーを持ち歩かずに済む。また、ねじりコイルバネ２１（例えば、アーム角度や巻き数等）や、第１〜２棒２２Ａ〜２２Ｂ（例えば、長さや形状等）を適宜変更することによって、固定可能な穴等のサイズをより広くすることも容易となる。
【００２６】
第１〜２接続部２２ＡＹ、２２ＢＹが移動リング２５と係合している状態では、移動リング２５の第１〜２棒２２Ａ〜２２Ｂに沿った移動が規制される。この結果、ハーケン２０は閉状態（図２（Ｂ））を維持することができる。ハーケンを使用しない場合には、閉状態（図２（Ｂ））とすることで収容スペースを小さくすることができる。
【００２７】
さらに、閉状態（図２（Ｂ））のハーケン２０において、係合部２８Ｋは、ねじりコイルバネ２１のコイルばね部２１Ｓと係合可能な形状となっているため、移動リング２５の第１〜２棒２２Ａ〜２２Ｂに沿った移動が規制される。この結果、ハーケン２０を閉状態（図２（Ｂ））のまま、開状態（図２（Ｃ））への遷移を規制することができる。
【００２８】
加えて、グリップ部２８Ｇは、移動リング２５を中心に揺動自在となっているため、係合部２８Ｋがねじりコイルバネ２１のコイルばね部２１Ｓと係合した状態（図２（Ａ）の実線部分）と、そこから退避した状態（図２（Ａ）の二点鎖線部分）との間で遷移自在となる。こうして、開状態（図２（Ｃ））への遷移の規制及び解除の操作が容易となる。
【００２９】
上記実施形態では、移動リング２５を利用したが、本発明はこれに限られず、第１〜２棒２２Ａ〜２２Ｂが挿入可能な孔を有していればよく、リングの形状は、楕円状（図３（Ａ））でも、正円状（図３（Ｂ））でもよい。また、図３（Ｃ）に示すように、第１棒２２Ａが挿入可能な孔２５ＸＡと、第２棒２２Ｂが挿入可能な孔２５ＸＢと、を個別に設けてもよい。これにより、孔２５ＸＡと孔２５ＸＢとの間の部分２５Ｙが、閉状態への規制をする閉状態規制部材として機能する。さらに、移動リング２５は、回動部材２８Ｒを取り付けるための孔２５ＸＲを有してもよい。孔２５ＸＲは、孔２５ＸＡや孔２５ＸＢと独立して形成されることが好ましい。
【００３０】
また、第１面や第２面のそれぞれ対する接触部が１点である場合、ハーケン２０は、その接触部を中心に揺動しやすい。そこで、なお、図７〜８に示すように、第１〜２棒２２Ａ〜２２Ｂと長さが異なる第１〜２棒を有するハーケン部材５０を併用してもよい。ハーケン部材５０は、ねじりコイルバネ５１と、第１〜２棒５２Ａ〜５２Ｂと、第１棒５２Ａの先端から延びた第１面接触部５３Ａと、第２棒５２Ｂの先端から延びた第２面接触部５３Ｂと、を備える。第１〜２棒５２Ａ〜５２Ｂの長さは、第１〜２棒２２Ａ〜２２Ｂの長さよりも短い。移動リング２５の孔２５Ｘには、第１〜２棒２２Ａ〜２２Ｂのみならず、第１〜２棒５２Ａ〜５２Ｂも挿入される。このとき、ねじりコイルバネ５１とねじりコイルバネ２１とが重なるように、ハーケン部材５０を配置することが好ましい。これにより、第１面や第２面のそれぞれ対して、接触部が２点となるため、揺動が起こりにくくなり、より安定した固定が可能となる。
【００３１】
上記実施形態では、ハーケン２０を釣りのときに用いるものとして記載したが、本発明はこれに限られず、バーベキューやキャンプ等といったアウトドアにおいても利用可能である。例えば、洞窟の天井や壁に、ハーケン２０を固定することにより、洞窟の天井から物をぶら下げたり、壁に物をかけたりすることができる。
【００３２】
ハーケン２０が開状態の際、グリップ部２８Ｇは、ねじりコイルバネ２１よりも、図３における上側へ突出していることが好ましい。使用時には、グリップ部２８Ｇが穴から突出するような状態で固定することが好ましい。これにより、岩場からの取り外し操作が容易となる。  
【００３３】
また、図９に示すように、第１〜２棒２２Ａ〜２２Ｂの中途部分に、移動リング２５が係合可能な湾曲部２２ＡＣ〜２２ＢＣを設けてもよい。当該湾曲部に移動リング２５が係合することで、移動リング２５の第１〜２棒２２Ａ〜２２Ｂに沿った移動が規制される。湾曲部２２ＡＣ〜２２ＢＣは、第１〜２棒２２Ａ〜２２Ｂ全体に対して、内側に湾曲、すなわち、移動リング２５が係合した際に、開状態となる側に湾曲していることが好ましい。なお、湾曲部２２ＡＣ〜２２ＢＣは、第１〜２棒２２Ａ〜２２Ｂ全体に対して、外側に湾曲、すなわち、移動リング２５が係合した際に、閉状態となる側に湾曲していていてもよい。
【００３４】
上記実施形態では、ハーケン２０を釣りのときに用いるものとして記載したが、本発明はこれに限られず、バーベキューやキャンプ等といったアウトドアにおいても利用可能である。例えば、洞窟の天井や壁に、ハーケン２０を固定することにより、洞窟の天井から物をぶら下げたり、壁に物をかけたりすることができる。
【００３５】
上記実施形態では、バネ機構として、ねじりコイルバネを用いたが、本発明はこれに限られず、第１面接触具と第２面接触具とが離れるような付勢力を発生させるバネ（コイルばねや、板バネ等）であればよい。また、第１面接触具と第２面接触具とが離れるような力（例えば、磁力）を発生させるものを用いてもよい。
【００３６】
尚、本発明は、上記した実施の形態に限定されるものではなく、本発明の要旨を逸脱しない範囲内において種々変更を加え得ることは勿論である。
【符号の説明】
【００３７】
２０  ハーケン
２１  ねじりコイルバネ
２２Ａ  第１棒
２２Ｂ  第２棒
２３Ａ  第１面接触部
２３Ｂ  第２面接触部
２５  移動リング
２８  握り
【図１】
0006606745.tif 000002
【図２】
0006606745.tif 000003
【図３】
0006606745.tif 000004
【図４】
0006606745.tif 000005
【図５】
0006606745.tif 000006
【図６】
0006606745.tif 000007
【図７】
0006606745.tif 000008
【図８】
0006606745.tif 000009
【図９】
0006606745.tif 000010